(57)【要約】【課題】重金属を含有する物質から、重金属を、大気中に放出させず、簡易かつ効率的に除去することのできる重金属の除去装置及び除去方法を提供する。【解決手段】反応容器内に、超臨界二酸化炭素を供給するとともに、重金属を選択的に抽出可能な有機物を液相で供給する。その後、反応容器内で、重金属を含有する物質、超臨界二酸化炭素及び有機物を接触させ、重金属を有機物によって抽出する。その後、重金属を抽出した有機物と超臨界二酸化炭素を減圧して超臨界二酸化炭素を二酸化炭素ガスに転換する。その後、二酸化炭素ガス及び有機物を有機物捕捉剤に接触させる。【選択図】図１
2015174072.tif 000002
【特許請求の範囲】
【請求項１】
重金属を含有する物質を収容した反応容器内に、超臨界二酸化炭素を供給するとともに、前記重金属を選択的に抽出可能な有機物を液相状態で供給する供給工程と、
前記反応容器内で、前記重金属を含有する物質、前記超臨界二酸化炭素及び前記有機物を接触させ、前記重金属を前記有機物によって抽出する抽出工程と、
前記重金属を抽出した前記有機物と前記超臨界二酸化炭素を減圧して前記超臨界二酸化炭素を二酸化炭素ガスに転換する減圧工程と、
前記二酸化炭素ガス及び前記有機物を有機物捕捉剤に接触させる有機物捕捉工程と
を備えることを特徴とする重金属の除去方法。
【請求項２】
前記供給工程において、前記反応容器に前記有機物及び前記超臨界二酸化炭素を連続的に供給し、
前記供給工程、前記抽出工程、前記減圧工程及び前記有機物捕捉工程を連続的に行うことを特徴とする請求項１記載の重金属の除去方法。
【請求項３】
前記有機物は、トリフルオロアセチルアセトン、テノイルトリフルオロアセトン、１，１，１−トリフルオロ−４−（２−チエニル）−４−メルカプト−３−ブテン−２−オン、チオオキシン、ジチゾン、リン酸水素ビス−（２−エチルヘキシル）及びジグリコールアミド酸型骨格を持つ化合物からなる群より選ばれる１種以上の化合物であることを特徴とする請求項１又は２記載の重金属の除去方法。
【請求項４】
前記供給工程において、前記有機物を、酢酸、メタノール、エタノール、ｎ−プロパノール、イソプロパノール及びアセトンからなる群より選ばれる１種以上の化合物と混合し、溶液又はスラリー状に調製して、前記反応容器に供給することを特徴とする請求項１乃至３のいずれか１項記載の重金属の除去方法。
【請求項５】
前記抽出工程における、前記重金属を含有する物質、前記有機物及び前記超臨界二酸化炭素の前記反応容器内での滞留時間は３０〜６０分であることを特徴とする請求項１乃至４のいずれか１項記載の重金属の除去方法。
【請求項６】
前記抽出工程における前記反応容器内の温度は６０〜８０℃、前記反応容器内の圧力は２０〜３０ＭＰａであることを特徴とする請求項１乃至５のいずれか１項記載の重金属の除去方法。
【請求項７】
前記有機物捕捉剤は、常温常圧下で水よりも高沸点の有機溶媒であることを特徴とする請求項１乃至６のいずれか１項記載の重金属の除去方法。
【請求項８】
前記抽出工程において、前記反応容器に、前記有機物及び超臨界二酸化炭素を供給した後に、さらに超臨界二酸化炭素のみを供給することを特徴とする請求項１乃至７のいずれか１項記載の重金属の除去方法。
【請求項９】
重金属を含有する物質を収容する反応容器と、
前記反応容器に、前記重金属を選択的に抽出可能な有機物を液相状態で供給する有機物供給手段と、
前記反応容器に超臨界二酸化炭素を供給する超臨界二酸化炭素供給手段と、
前記反応容器から前記有機物及び前記超臨界二酸化炭素を排出する排出ラインと、
前記排出ラインに接続され、前記反応容器から排出された前記有機物を捕捉する有機物トラップと、
前記排出ラインの前記有機物トラップの上流側に介挿され、前記反応容器内の又は前記排出ラインから排出される、前記有機物及び前記超臨界二酸化炭素の圧力を調整する圧力調整機と
を備えることを特徴とする重金属の除去装置。
【発明の詳細な説明】
【技術分野】
【０００１】
本発明の実施形態は、重金属の除去方法及び除去装置に関する。
【背景技術】
【０００２】
従来、産業廃棄物として発生した重金属により汚染された土壌から、重金属を除去する方法が検討されている。
【０００３】
例えば、重金属を含む土壌とカチオン、アニオン等の化学種を混合させた後、陽極及び陰極間に電位勾配を生ぜしめ、カチオンあるいはアニオンをそれぞれ陰極及び陽極へ移動させながら、その間に上記重金属と親和性のあるマトリックス材料を配置して吸着させるとともに、これら系内のｐＨを所定の値以下とすることによって汚染土壌を沈殿させ、上記重金属を除去することが提案されている（例えば、特許文献１参照。）。
【０００４】
また、汚染土壌の表層に少なくとも一組の電極を所定の間隔で埋設し、これら電極間に通電することによって電極において汚染物質を集積するとともに、汚染土壌中に有害物質高蓄積植物を栽培し、当該植物に上記汚染物質を吸収させて除去する方法が開示されている（例えば、特許文献２参照。）。
【０００５】
しかし、これらの方法では、電極の設置や通電が必要であり、オンサイトでの処理が難しい。また、植物栽培の工程を含む方法では、処理が長時間化する。
【０００６】
また、放射性セシウム及び放射性ストロンチウムを含有する物質に対して、セシウム及びストロンチウムを選択的に抽出可能な有機物を接触させた後、超臨界二酸化炭素を供給及び接触させ、その後、超臨界二酸化炭素を減圧し、二酸化炭素ガスに転換することにより有機物を回収除去する方法が提案されている（例えば、特許文献３参照。）。
【０００７】
また、金属及び半金属種を含有する物質をキレート剤含有超臨界二酸化炭素に接触させ、金属とキレート剤の間にキレートを生成させた後、超臨界二酸化炭素を減圧し、二酸化炭素ガスに転換することによりキレート剤を回収除去する方法が提案されている（例えば、特許文献４参照。）。
【０００８】
これらの方法では、重金属を含有する物質と重金属を抽出する有機物やキレート剤を十分に接触させた後に超臨界二酸化炭素を接触させる必要がある。そのため、重金属の濃度が高かったり、重金属を含有する物質の処理量が多かったりすると、重金属を抽出する有機物等を大量に接触させるために、反応容器が大型化するという課題がある。さらに、超臨界二酸化炭素を減圧した後、重金属を抽出した有機物やキレート剤が断熱膨張によって揮発し、重金属が大気中に放出される可能性がある。
【先行技術文献】
【特許文献】
【０００９】
【特許文献１】特許第４１２８６２０号
【特許文献２】特開２００７−２８９８９７号公報
【特許文献３】特開２０１３−１０１００８号公報
【特許文献４】特表２００２−５０８６９７号公報
【発明の概要】
【発明が解決しようとする課題】
【００１０】
本発明は、上記した課題を解消するためになされたものであり、重金属を含有する物質から、重金属を、大気中に放出させず、簡易かつ効率的に除去することのできる重金属の除去装置及び除去方法を提供することを目的とする。
【課題を解決するための手段】
【００１１】
本発明の重金属の除去方法の一態様は、重金属を含有する物質を収容した反応容器内に、超臨界二酸化炭素を供給するとともに、前記重金属を選択的に抽出可能な有機物を液相状態で供給する供給工程と、前記反応容器内で、前記重金属を含有する物質、前記超臨界二酸化炭素及び前記有機物を接触させ、前記重金属を前記有機物によって抽出する抽出工程と、前記重金属を抽出した前記有機物と前記超臨界二酸化炭素を減圧して前記超臨界二酸化炭素を二酸化炭素ガスに転換する減圧工程と、前記二酸化炭素ガス及び前記有機物を有機物捕捉剤に接触させる有機物捕捉工程とを備えることを特徴とする。
【００１２】
本発明の重金属の除去装置の一態様は、重金属を含有する物質を収容する反応容器と、前記反応容器に、前記重金属を選択的に抽出可能な有機物を液相状態で供給する有機物供給手段と、前記反応容器に超臨界二酸化炭素を供給する超臨界二酸化炭素供給手段と、前記反応容器から前記有機物及び前記超臨界二酸化炭素を排出する排出ラインと、前記排出ラインに接続され、前記反応容器から排出された前記有機物を捕捉する有機物トラップと、前記排出ラインの前記有機物トラップの上流側に介挿され、前記反応容器内の又は前記排出ラインから排出される、前記有機物及び前記超臨界二酸化炭素の圧力を調整する圧力調整機とを備えることを特徴とする。
【発明の効果】
【００１３】
本発明によれば、重金属を含有する物質から、重金属を、大気中に放出させず、簡易かつ効率的に除去することができる。
【図面の簡単な説明】
【００１４】
【図１】実施形態の重金属の除去装置を概略的に示す図。
【発明を実施するための形態】
【００１５】
以下、図面を参照して、実施形態を詳細に説明する。本実施形態の重金属の除去方法及び除去装置は、重金属を選択的に抽出可能な有機物と超臨界二酸化炭素を用いて、重金属を含有する物質から重金属を除去する。
【００１６】
図１は、本実施形態の重金属の除去装置１を概略的に示す図である。図１に示すように、除去装置１は、重金属を含有する物質Ｓを充填する反応容器１１を備えている。また、除去装置１は、反応容器１１に有機物２を供給する有機物供給機１２と、反応容器１１に液体二酸化炭素３を供給する二酸化炭素供給機１３と、有機物２及び液体二酸化炭素３を加熱する予熱器１４を備えている。有機物供給機１２は、有機物供給ライン１５により予熱器１４に接続されている。また、二酸化炭素供給機１３は、二酸化炭素供給ライン１６により有機物供給ライン１５に接続されている。予熱器１４は、供給ライン１７により反応容器１１に接続されている。二酸化炭素供給機１３、二酸化炭素供給ライン１６、予熱器１４及び供給ライン１７は、超臨界二酸化炭素供給手段を構成している。また、有機物供給機１２、有機物供給ライン１５、予熱器１４及び供給ライン１７は、有機物供給手段を構成している。
【００１７】
反応容器１１には、反応容器１１内の有機物２及び液体二酸化炭素３を排出する排出ライン１８が接続されている。排出ライン１８には、反応容器１１内を加圧して、液体二酸化炭素３を超臨界状態に保持する圧力に調整するとともに、その後減圧する圧力調整機１９が介挿されている。また、排出ライン１８の、圧力調整機１９の下流側には、反応容器１１から排出された有機物２を捕捉する有機物トラップ２０が接続されている。有機物トラップ２０内には、有機物捕捉剤４が充填されている。
【００１８】
なお、図１に示す除去装置１では、有機物供給ライン１５が予熱器１４に接続されているが、有機物供給ライン１５及び二酸化炭素供給ライン１６のいずれか一方が予熱器１４に接続され、他の一方は直接反応容器１１に接続されていてもよい。また、除去装置１に２台の予熱器１４を備え、有機物供給ライン１５及び二酸化炭素供給ライン１６が２台の予熱器１４のそれぞれに接続され、２台の予熱器１４がそれぞれ反応容器１１に接続されていてもよい。
【００１９】
また、除去装置１は、予熱器１４を備えなくてもよく、この場合、有機物供給ライン１５及び二酸化炭素供給ライン１６は、直接反応容器１１に接続されていてもよい。
【００２０】
反応容器１１には、プロセス条件における耐食性、耐圧性に優れた材料、例えば、ＳＵＳ３１６等のステンレス鋼やニッケル基合金等の材質を用いる。また、除去装置１の、有機物２、液体二酸化炭素３又は超臨界二酸化炭素と接触する部材についても同様に、耐食性、耐圧性に優れた材質、例えばＳＵＳ３１６等のステンレス鋼、ニッケル基合金等を用いる。
【００２１】
また、重金属の抽出効率を高めるため、供給ライン１７と反応容器１１の接続点と、排出ライン１８と反応容器１１の接続点の距離はできるだけ長いことが好ましい。
【００２２】
また、反応容器１１内の温度を保持するために、反応容器１１は、反応容器１１内を加熱する加熱器を備えていてもよく、反応容器１１の周囲等に、断熱材が設置されていてもよい。また、反応容器１１、有機物供給ライン１２及び二酸化炭素供給ライン１６、予熱器１４及び排出ライン１８は、これらを加熱する加熱器の内部に設置されていてもよい。
【００２３】
次に、重金属の除去装置１を用いた、重金属の除去方法について説明する。本実施形態の除去方法では、先ず、重金属を含有する物質Ｓを反応容器１１に収容する。重金属としては、Ｈｇ、Ｃｄ、Ｐｄ、Ｚｎ、Ａｇ、Ｐｂが挙げられる。物質Ｓとしては、重金属を含む可能性のあるあらゆる物質を候補として挙げることができ、例えば土壌、汚泥、砂、岩、粘土、コンクリート、アスファルト等が挙げられる。
【００２４】
物質Ｓを反応容器１１に収容した後、二酸化炭素供給機１３から、液体二酸化炭素３を予熱器１４に供給し、加熱した後、反応容器１１に供給する。そして、圧力調整機１９によって反応容器１１内の圧力を上げる。予熱器１４、圧力調整機１９及び必要に応じて設置された加熱器によって、反応容器１１内を、温度３１．１℃以上、圧力７．４ＭＰａ以上に保持して、液体二酸化炭素３から超臨界二酸化炭素を生成させる。超臨界二酸化炭素は、気体及び液体の両性質を備え、有機化合物の溶解性に富む。また、粘度が低いため取扱いが容易であるとともに、二酸化炭素を常温よりやや高い温度に加熱すれば、圧力負荷のみによって生成させることができる。また、温度、圧力を僅かに変化させるだけで、粘度などの物性を変化させることができ、制御が容易である。したがって、超臨界二酸化炭素を用いることで、簡易かつ効率的に重金属を除去することが可能である。
【００２５】
反応容器１１内が、所定の温度、圧力になったら、液体二酸化炭素３を供給している状態で、有機物２を予熱器１４に供給し、加熱した後に、反応容器１１へ導入する（供給工程）。反応容器１１内で、物質Ｓ、有機物２及び超臨界二酸化炭素を接触させて、物質Ｓに含まれる重金属を有機物２によって抽出する。重金属を抽出した有機物２は、超臨界二酸化炭素に溶解する（抽出工程）。このように、物質Ｓに対し、有機物２及び超臨界二酸化炭素を同時に接触させる。これにより、有機物２及び超臨界二酸化炭素を別々に接触させる場合と比べ、重金属の物質Ｓからの抽出時間を短縮することができる。
【００２６】
抽出工程における、反応容器１１内での、有機物２及び超臨界二酸化炭素の滞留時間は３０分以上とすることが好ましい。滞留時間の上限は、物質Ｓに含まれる重金属が有機物２に十分に抽出される時間とし、物質Ｓに含まれている重金属の含有量や、求められる重金属の除去率（物質Ｓ中の重金属の残存率）、重金属の種類や有機物２の種類等によって適宜設定することができる。滞留時間は例えば、６０分以下とすることができる。
【００２７】
抽出工程における、反応容器１１内の温度は６０〜８０℃が好ましく、圧力は２０〜３０ＭＰａが好ましい。反応容器１１内の温度及び圧力を上記した範囲とすることで、重金属の除去率を向上させることができる。
【００２８】
有機物２としては、重金属を選択的に抽出可能な有機物であれば特に限定されず用いることができる。有機物２としては、例えば、トリフルオロアセチルアセトン、テノイルトリフルオロアセトン等のβ−ジケトンや、１，１，１−トリフルオロ−４−（２−チエニル）−４−メルカプト−３−ブテン−２−オン、チオオキシン（８−メルカプトキノリン）、ジチゾン（１，５−ジフェニル−３−チオカルバゾン）、リン酸水素ビス−（２−エチルヘキシル）、ジグリコールアミド酸型骨格を持つ化合物（ジオクチルジグリコールアミド酸（ＤＯＤＧＡＡ）等）が挙げられる。有機物２としては１種を単独で用いてもよく、２種以上を併用してもよい。
【００２９】
有機物２は、液相状態で反応容器１１に供給することが好ましい。有機物２が常温常圧下で液体の物質である場合には、そのまま反応容器１１に供給することができる。有機物２が、常温常圧下で固体の物質である場合、溶媒と混合して溶解させ、溶液とすることで、液相状態で供給することができる。また、有機物２を、溶媒と混合し、スラリー状に調製して液相状態としてもよい。このように、有機物２を液相状態で反応容器１１に供給することで、あらかじめ物質Ｓ及び有機物２を混合しなくても、物質Ｓと有機物２及び超臨界二酸化炭素を同時に接触させることができるため、重金属を効率的に除去することが可能である。また、有機物２を液相で供給することで、例えば物質Ｓ中の重金属の含有量や求められる重金属の除去率に応じた、有機物２の供給量の制御を容易に行うことができる。したがって、除去効率を向上させることができ、また、あらかじめ有機物２を反応容器１１に収容する方法と比べて、反応容器１１を小型化することができる。
【００３０】
溶媒としては、有機物２を抽出可能かつ、超臨界二酸化炭素に溶解する有機溶媒であることが好ましい。溶媒としては、このような有機溶媒であれば特に限定されず、酢酸、メタノール、エタノール、ｎ−プロパノール、イソプロパノール、アセトン等を用いることができる。
【００３１】
次いで、有機物２及び超臨界二酸化炭素を反応容器１１内に所定の時間滞留させた後、反応容器１１から有機物２、超臨界二酸化炭素及び必要に応じて用いられる溶媒を排出する。減圧工程で、排出した有機物２、超臨界二酸化炭素及び必要に応じて用いられる溶媒を、圧力調整機１９に導入し、ほぼ常圧まで減圧する。これにより、超臨界二酸化炭素を二酸化炭素ガスに転換し、有機物２及び必要に応じて用いられる溶媒を二酸化炭素ガスから分離する。
【００３２】
次いで、有機物捕捉工程で、減圧した後の、二酸化炭素ガス、有機物２及び必要に応じて用いられる溶媒を、有機物トラップ２０に導入する。有機物トラップ２０内の有機物捕捉剤４が、重金属を抽出した有機物２及び必要に応じて用いられる溶媒を捕捉する。
【００３３】
有機物捕捉剤４としては、有機物２及び必要に応じて用いられる溶媒の、常温常圧下での溶解性が高く、かつ、水より高沸点の有機溶媒であれば特に限定なく用いることができる。有機物捕捉剤４としては、例えば、ドデカンが好適に用いられる。
【００３４】
有機物捕捉工程において、有機物トラップ２０により、有機物２及び必要に応じて用いられる溶媒を捕捉、除去した後、二酸化炭素ガスを大気中へ放出する。二酸化炭素ガスを有機物トラップに通過させず、そのまま大気中に放出した場合には、超臨界二酸化炭素を減圧した後に、有機物２及び必要に応じて用いられる溶媒が断熱膨張により揮発し、重金属ごと大気中に放出される可能性がある。これに対し、本実施形態の除去方法及び除去装置では、上記したように、重金属の大気中への放出を防ぐことが可能である。
【００３５】
本実施形態の除去方法は、重金属の除去に要する時間を短縮できることから、連続式で行うことが好ましい。連続式の方法では、反応容器１１内に物質Ｓを収容した後、有機物２及び液体二酸化炭素３を連続的に供給し、反応容器１１内に所定の時間滞留させた後、反応容器１１から連続的に排出し、減圧した後に有機物トラップ２０を通過させる。このように、供給工程、抽出工程、減圧工程、有機物捕捉工程を連続的に行う。
【００３６】
また、抽出工程において、有機物２の供給を停止し、さらに、液体二酸化炭素３のみを反応容器１１内に供給して、上記と同様の操作を行うことが好ましい。これにより、超臨界二酸化炭素を反応容器１１内の物質Ｓと接触させ、物質Ｓ中に残存する有機物２及び必要に応じて用いられる溶媒を超臨界二酸化炭素に溶解させ、回収することができる。
【実施例】
【００３７】
次に、実施例について説明する。
（実施例１）
重金属としてＰｂ、Ｈｇ、Ｃｄを含有する土壌１０ｇを反応容器に投入した。次いで、１％ジチゾンのエタノール溶液と液体二酸化炭素をそれぞれポンプにより各１〜３ｍｌ／分で予熱器に供給して、８０℃に加熱した後、反応容器に供給した。反応容器内の圧力を、圧力調整機の設定により３０ＭＰａに調整して、ジチゾンのエタノール溶液を含む超臨界二酸化炭素を生成させた。
【００３８】
反応容器内でのジチゾンのエタノール溶液及び超臨界二酸化炭素の滞留時間を２０〜６０分に調整し、反応容器から連続的に排出した。排出したジチゾンのエタノール溶液及び二酸化炭素ガスを、圧力調整機に通過させて常圧まで減圧した後、ドデカンを充填した有機物トラップに通流し、その後、テドラーバッグに回収した。
【００３９】
このようにして、ジチゾンのエタノール溶液と液体二酸化炭素を、それぞれ１８０ｍｌ供給した後、供給を停止して、反応容器内を常温、常圧に解放した。その後、反応容器内の土壌を回収し、土壌中のＰｂ、Ｈｇ、Ｃｄ濃度を測定した。測定した各重金属濃度から、残存率（＝（試験後土壌中の重金属濃度／初期の重金属濃度）×１００）を算出した。結果を表１に示す。
【００４０】
【表１】
2015174072.tif 000003
【００４１】
表１より、ジチゾンのエタノール溶液と超臨界二酸化炭素を同時に土壌と接触させることで、Ｐｂ、Ｈｇ、Ｃｄの多くが除去されることが分かった。
【００４２】
また、表１より滞留時間の増加によりＰｂ、Ｈｇ、Ｃｄの残存率が低下することが分かった。特に、滞留時間を略３０分以上とすることでＰｂ、Ｈｇ、Ｃｄの残存率をより下げることができることが分かった。
【００４３】
なお、テドラーバッグ内にはジチゾンのエタノール溶液からなる液滴が見られず、ジチゾン及びエタノールが、大気中に放出されていないことが分かった。このように、有機物捕捉剤として常温常圧下で水よりも高沸点の有機溶媒を使用することで、重金属を抽出した有機物を回収することができることが分かった。
【００４４】
（実施例２）
Ｐｂを含有する土壌１０ｇを反応容器に投入した。次いで、１％ジチゾンのエタノール溶液と液体二酸化炭素をそれぞれポンプにより各１ｍｌ／分で予熱器に供給し、４０〜８０℃に加熱した後、反応容器に供給した。反応容器内の圧力を、圧力調整機の設定で１０〜３０ＭＰａに調整して、ジチゾンのエタノール溶液を含む超臨界二酸化炭素を生成させた。
【００４５】
ジチゾンのエタノール溶液を含む超臨界二酸化炭素の反応容器内での滞留時間は６０分として、反応容器内のジチゾンのエタノール溶液と二酸化炭素ガスを反応容器出口から排出し、これを圧力調整機に通過させて、常圧に減圧した。さらに、ドデカンを充填した有機物トラップ内に通過させた後、テドラーバッグに回収した。
【００４６】
このようにして、１％ジチゾンのエタノール溶液と液体二酸化炭素をそれぞれ６０ｍｌずつ供給した後、反応容器内を常温、常圧に解放した。その後、反応容器内の土壌を回収し、土壌中のＰｂ濃度を測定して、残存率（＝（試験後土壌中の重金属濃度／初期の重金属濃度）×１００）を算出した。結果を表２に示す。
【００４７】
【表２】
2015174072.tif 000004
【００４８】
表２の結果より、温度４０℃に比べて６０〜８０℃の方がＰｂ残存率は低く、圧力１０ＭＰａに比べて２０〜３０ＭＰａの方がＰｂ残存率は低いことが分かった。すなわち、有機物及び超臨界二酸化炭素の温度を６０〜８０℃、圧力を２０〜３０ＭＰａの範囲とすることで重金属の残存率を低減することができることが分かった。
【００４９】
このように、本実施形態の重金属の除去方法及び除去装置によれば、重金属を含有する物質から、重金属を、大気中に放出させず、簡易かつ効率的に除去することができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…除去装置、２…有機物、３…液体二酸化炭素、４…有機物捕捉剤、１１…反応容器、１２…有機物供給機、１３…二酸化炭素供給機、１４…予熱器、１５…有機物供給ライン、１６…二酸化炭素供給ライン、１７…供給ライン、１８…排出ライン、１９…圧力調整機、２０…有機物トラップ、Ｓ…重金属を含有する物質。
【図１】
2015174072.tif 000005